【手続補正書】
【提出日】平成16年3月22日(2004.3.22)
【手続補正１】
【補正対象書類名】明細書
【補正対象項目名】発明の名称
【補正方法】変更
【補正の内容】
【発明の名称】画像形成装置


【手続補正２】
【補正対象書類名】明細書
【補正対象項目名】特許請求の範囲
【補正方法】変更
【補正の内容】
【特許請求の範囲】
【請求項１】
出力画像に対応した静電潜像が担持される像担持体と、
トナーとキャリアとからなる二成分の現像剤を有する現像容器と、
上記現像容器にトナーを供給するトナーカートリッジと、
上記像担持体上の静電潜像を上記現像容器内のトナーにより顕像化する現像手段と、
上記現像手段により顕像化されたトナー画像を被画像形成媒体に転写する転写手段と、
上記現像容器のトナー濃度に応じた電圧値を出力する出力手段と、
上記出力手段から出力される電圧値により上記トナーカートリッジ内のトナーがエンプティになったことを判断するとともに、上記トナーカートリッジ内のトナーエンプティが判断された時の上記転写手段によってトナー画像が転写された被画像形成媒体のトータルカウンタ値に基づいて次回のトナーエンプティとなる時期に対応するトータルカウンタ値を演算して次回のトナーエンプティとなる時期を予告するトナーエンプティ予告手段と
から構成される画像形成装置。
【請求項２】
出力画像に対応した静電潜像が担持される像担持体と、
トナーとキャリアとからなる二成分の現像剤を有する現像容器と、
上記現像容器にトナーを供給するトナーカートリッジと、
上記像担持体上の静電潜像を上記現像容器内のトナーにより顕像化する現像手段と、
上記現像手段により顕像化されたトナー画像を被画像形成媒体に転写する転写手段と、
上記現像容器のトナー濃度に応じた電圧値を出力する出力手段と、
上記出力手段から出力される電圧値により上記トナーカートリッジ内のトナーがエンプティになったことを判断するとともに、上記トナーカートリッジ内のトナーエンプティが判断された時の上記転写手段によってトナー画像が転写された被画像形成媒体のトータルカウンタ値に基づいて次回のトナーエンプティとなる時期に対応するトータルカウンタ値を演算して次回のトナーエンプティとなる時期を予告するトナーエンプティ予告手段と、
上記トナーエンプティ予告手段による予告演算のために用いられる被画像形成媒体のトータルカウンタ値、次回のトナーエンプティとなる時期に対応するトータルカウンタ値、所定の設定値及び計算値データをストアする記憶手段と
から構成される画像形成装置。
【請求項３】
出力画像に対応した静電潜像が担持される像担持体と、
トナーとキャリアとからなる二成分の現像剤を有する現像容器と、
上記現像容器にトナーを供給するトナーカートリッジと、
上記像担持体上の静電潜像を上記現像容器内のトナーにより顕像化する現像手段と、
上記現像手段により顕像化されたトナー画像を被画像形成媒体に転写する転写手段と、
上記現像容器のトナー濃度に応じた電圧値を出力する出力手段と、
上記出力手段から出力される電圧値により上記トナーカートリッジ内のトナーがエンプティになったことを判断するとともに、上記トナーカートリッジ内のトナーエンプティが判断された時の上記転写手段によってトナー画像が転写された被画像形成媒体のトータルカウンタ値に基づいて次回のトナーエンプティとなる時期に対応するトータルカウンタ値を演算して次回のトナーエンプティとなる時期を予告するトナーエンプティ予告手段と、
上記トナーエンプティ予告手段による予告演算のために用いられる被画像形成媒体のトータルカウンタ値、次回のトナーエンプティとなる時期に対応するトータルカウンタ値、所定の設定値及び計算値データをストアする記憶手段と、
上記記憶手段を初期化する初期化手段とから構成され、
上記初期化手段は、１回目のエンプティ時期、エンプティ予告表示する期間、初期のトナー消費量を設定することを特徴とする画像形成装置。
【請求項４】
出力画像に対応した静電潜像が担持される像担持体と、
トナーとキャリアとからなる二成分の現像剤を有する現像容器と、
上記現像容器にトナーを供給するトナーカートリッジと、
上記像担持体上の静電潜像を上記現像容器内のトナーにより顕像化する現像手段と、
上記現像手段により顕像化されたトナー画像を被画像形成媒体に転写する転写手段と、
上記現像容器のトナー濃度に応じた電圧値を出力する出力手段と、
上記出力手段から出力される電圧値により上記トナーカートリッジ内のトナーがエンプティになったことを判断するとともに、上記トナーカートリッジ内のトナーエンプティが判断された時の上記転写手段によってトナー画像が転写された被画像形成媒体のトータルカウンタ値に基づいて次回のトナーエンプティとなる時期に対応するトータルカウンタ値を演算して次回のトナーエンプティとなる時期を予告するトナーエンプティ予告手段とから構成され、
上記トナーエンプティ予告手段は、現在のトータルカウンタ値と次回のトナーエンプティ予告表示時期を比較し、現在のトータルカウンタ値が次回のトナーエンプティ予告表示時期の値を越えると、トナーエンプティ予告表示を行うことを特徴とする画像形成装置。
【請求項５】
出力画像に対応した静電潜像が担持される像担持体と、
トナーとキャリアとからなる二成分の現像剤を有する現像容器と、
上記現像容器にトナーを供給するトナーカートリッジと、
上記像担持体上の静電潜像を上記現像容器内のトナーにより顕像化する現像手段と、
上記現像手段により顕像化されたトナー画像を被画像形成媒体に転写する転写手段と、
上記現像容器のトナー濃度に応じた電圧値を出力する出力手段と、
上記出力手段から出力される電圧値により上記トナーカートリッジ内のトナーがエンプティになったことを判断するとともに、上記トナーカートリッジ内のトナーエンプティが判断された時の上記転写手段によってトナー画像が転写された被画像形成媒体のトータルカウンタ値に基づいて次回のトナーエンプティとなる時期に対応するトータルカウンタ値を演算して次回のトナーエンプティとなる時期を予告するトナーエンプティ予告手段と、
上記トナーエンプティ予告手段による予告演算のために用いられる被画像形成媒体のトータルカウンタ値、次回のトナーエンプティとなる時期に対応するトータルカウンタ値、所定の設定値及び計算値データをストアする記憶手段とから構成され、
上記トナーエンプティ予告手段は、トナーエンプティ確定後の処理としてトナーエンプティ確定表示を行うとともに、
現在のトータルカウンタ値及びその現在のトータルカウント値と前回のトータルカウンタ値の差をトナー消費量として求めて上記記憶手段にストアさせることを特徴とする画像形成装置。
【請求項６】
出力画像に対応した静電潜像が担持される像担持体と、
トナーとキャリアとからなる二成分の現像剤を有する現像容器と、
上記現像容器にトナーを供給するトナーカートリッジと、
上記像担持体上の静電潜像を上記現像容器内のトナーにより顕像化する現像手段と、
上記現像手段により顕像化されたトナー画像を被画像形成媒体に転写する転写手段と、
上記現像容器のトナー濃度に応じた電圧値を出力する出力手段と、
上記出力手段から出力される電圧値により上記トナーカートリッジ内のトナーがエンプティになったことを判断するとともに、上記トナーカートリッジ内のトナーエンプティが判断された時の上記転写手段によってトナー画像が転写された被画像形成媒体のトータルカウンタ値に基づいて次回のトナーエンプティとなる時期に対応するトータルカウンタ値を演算して次回のトナーエンプティとなる時期を予告するトナーエンプティ予告手段と、
上記トナーエンプティ予告手段による予告演算のために用いられる被画像形成媒体のトータルカウンタ値、次回のトナーエンプティとなる時期に対応するトータルカウンタ値、所定の設定値及び計算値データをストアする記憶手段とから構成され、
上記トナーエンプティ予告手段は、複数回のトナー消費量の平均値を平均トナー消費量として現在のトータルカウント値に加え、次回のトナーエンプティ時期を算出して上記記憶手段にストアさせることを特徴とする画像形成装置。
【請求項７】
出力画像に対応した静電潜像が担持される像担持体と、
トナーとキャリアとからなる二成分の現像剤を有する現像容器と、
上記現像容器にトナーを供給するトナーカートリッジと、
上記像担持体上の静電潜像を上記現像容器内のトナーにより顕像化する現像手段と、
上記現像手段により顕像化されたトナー画像を被画像形成媒体に転写する転写手段と、
上記現像容器のトナー濃度に応じた電圧値を出力する出力手段と、
上記出力手段から出力される電圧値により上記トナーカートリッジ内のトナーがエンプティになったことを判断するとともに、上記トナーカートリッジ内のトナーエンプティが判断された時の上記転写手段によってトナー画像が転写された被画像形成媒体のトータルカウンタ値に基づいて次回のトナーエンプティとなる時期に対応するトータルカウンタ値を演算して次回のトナーエンプティとなる時期を予告するトナーエンプティ予告手段と、
上記トナーエンプティ予告手段による予告演算のために用いられる被画像形成媒体のトータルカウンタ値、次回のトナーエンプティとなる時期に対応するトータルカウンタ値、所定の設定値及び計算値データをストアする記憶手段とから構成され、
上記トナーエンプティ予告手段は、複数回（Ｎ）のトナー消費量の平均値を平均トナー消費量として現在のトータルカウント値に加え、次回のトナーエンプティ時期を算出して上記記憶手段にストアさせるために、Ｎが２以上か否かを判断し、前に入力されたトナー消費量が有効か無効かを判断し、そのトナー消費量と過去で最も近い２つのデータを取り込むとともに、それらを合せて３つの平均をとり、平均トナー消費量を算出し、現在のトータルカウンタ値と平均トナー消費量とを加えることにより、次回のトナーエンプティの時期を算出することを特徴とする画像形成装置。
【請求項８】
出力画像に対応した静電潜像が担持される像担持体と、
トナーとキャリアとからなる二成分の現像剤を有する現像容器と、
上記現像容器にトナーを供給するトナーカートリッジと、
上記像担持体上の静電潜像を上記現像容器内のトナーにより顕像化する現像手段と、
上記現像手段により顕像化されたトナー画像を被画像形成媒体に転写する転写手段と、
上記現像容器のトナー濃度に応じた電圧値を出力する出力手段と、
上記出力手段から出力される電圧値により上記トナーカートリッジ内のトナーがエンプティになったことを判断するとともに、上記トナーカートリッジ内のトナーエンプティが判断された時の上記転写手段によってトナー画像が転写された被画像形成媒体のトータルカウンタ値に基づいて次回のトナーエンプティとなる時期に対応するトータルカウンタ値を演算して次回のトナーエンプティとなる時期を予告するトナーエンプティ予告手段と、
上記トナーエンプティ予告手段による予告演算のために用いられる被画像形成媒体のトータルカウンタ値、次回のトナーエンプティとなる時期に対応するトータルカウンタ値、所定の設定値及び計算値データをストアする記憶手段とから構成され、
上記トナーエンプティ予告手段は、複数回（Ｎ）のトナー消費量の平均値を平均トナー消費量として現在のトータルカウント値に加え、次回のトナーエンプティ時期を算出して上記記憶手段にストアさせるために、Ｎが２以上か否かを判断し、今回のトナー消費量が推定の範囲内か否かを判定し、平均トナー消費量と今回のトナー消費量とを比較し、平均トナー消費量が今回のトナー消費量より大であれば、平均トナー消費量を今回のトナー消費量とし、現在のトータルカウンタ値と平均トナー消費量とを加えることにより、次回のトナーエンプティの時期を算出することを特徴とする画像形成装置。
【請求項９】
出力画像に対応した静電潜像が担持される像担持体と、
トナーとキャリアとからなる二成分の現像剤を有する現像容器と、
上記現像容器にトナーを供給するトナーカートリッジと、
上記像担持体上の静電潜像を上記現像容器内のトナーにより顕像化する現像手段と、
上記現像手段により顕像化されたトナー画像を被画像形成媒体に転写する転写手段と、
上記現像容器のトナー濃度に応じた電圧値を出力する出力手段と、
上記出力手段から出力される電圧値により上記トナーカートリッジ内のトナーがエンプティになったことを判断する判断手段と、
上記判断手段によりトナーカートリッジ内のトナーエンプティが判断された時の上記転写手段によってトナー画像が転写された被画像形成媒体のトータルカウンタ値を記憶する記憶手段と、
上記記憶手段によるトータルカウンタ値に基づいて次回のトナーエンプティとなる時期に対応するトータルカウンタ値を演算する演算手段と、
上記演算手段による次回のトナーエンプティとなる時期に対応するトータルカウンタ値に基づいて次回のトナーエンプティとなる時期を予告するトナーエンプティ予告手段と
から構成される画像形成装置。
【手続補正３】
【補正対象書類名】明細書
【補正対象項目名】０００１
【補正方法】変更
【補正の内容】
【０００１】
【発明の属する技術分野】
本発明は、画像形成装置に係り、特に、トナーカートリッジ内のトナーエンプティの予告機能を有する画像形成装置に関するものである。


【手続補正４】
【補正対象書類名】明細書
【補正対象項目名】００１５
【補正方法】変更
【補正の内容】
【００１５】
本発明は、上記の事情に鑑みてなされたもので、トナーカートリッジ内のトナーエンプティの予告を簡便に行う機能を有する画像形成装置を提供することを目的とする。


【手続補正５】
【補正対象書類名】明細書
【補正対象項目名】００２５
【補正方法】削除
【補正の内容】
【手続補正６】
【補正対象書類名】明細書
【補正対象項目名】００９３
【補正方法】変更
【補正の内容】
【００９３】
【発明の効果】
従って、以上説明したように、本発明によれば、トナーカートリッジ内のトナーエンプティの予告を簡便に行う機能を有する画像形成装置を提供することができる。